(57)【要約】【課題】給湯装置の設置は電気工事業者や施工業者等の作業者が給湯装置の運転前に必要不可欠な各種設定や空気抜き、試運転の実施を忘れた場合、使用者は使用後しばらくして給湯装置の運転時間の遅さや加熱効率の悪さ、貯湯タンク内の湯切れといった被害を蒙る。【解決手段】制御部２０１は、電源初入時において記憶部２０２から給湯装置の各設定確認項目のうち未入力であるものを次回起動時に表示させるようにして作業者に確認、入力の注意喚起を促すが、運転状態判定手段５０２が給湯運転の正常さを判断したときには、制御部２０１が記憶部に記憶されている設定確認項目の未入力状態を入力済として記憶内容を変更する。【選択図】図５
2006336922.tif 000002
【特許請求の範囲】
【請求項１】
給湯装置の運転設定項目を電源起動時に表示するパネル部と、前記パネル部に表示される運転設定項目を入力する操作部と、前記運転設定項目の入力状況を記憶する記憶部と、前記給湯装置の給湯運転が正常であるかを判定する運転状態判定手段と、前記運転状態判定手段による判定結果に応じて前記記憶部に記憶されている運転設定項目の入力状況を変更する制御手段とを備えた給湯装置用リモコン。
【請求項２】
運転状態判定手段は、所定時間内に沸き上げられる湯量により給湯運転の正常を判定する請求項１記載の給湯装置用リモコン。
【請求項３】
給湯装置は貯湯タンクと、前記貯湯タンクの湯水を加熱する加熱手段と、前記貯湯タンク下部の湯水を加熱手段まで循環する沸き上げ循環ポンプと、前記加熱手段により加熱された湯水の湯温を検出する沸き上げ管温度センサとを備え、運転状態判定手段は、前記沸き上げ循環ポンプの動作を検出し、かつ沸き上げ管温度センサによる検出温度が一定期間において所定温度以上であれば、給湯運転の正常を判定する請求項１記載の給湯装置用リモコン。
【請求項４】
操作部による入力中、給湯装置の沸き上げ運転を行えないようにする請求項１から３のいずれか１項に記載の給湯装置用リモコン。
【発明の詳細な説明】
【技術分野】
【０００１】
本発明は、給湯装置の運転に関する設定を行う給湯装置用リモコンに関するものである。
【背景技術】
【０００２】
従来、この種の給湯装置用リモコンは、コンテンツ画面などを表示する表示手段と、操作を行うための入力手段と、入力手段からの情報、設定情報、表示情報などを演算処理する制御手段と、ふろの湯温や湯量やふろの自動予約に関する設定を行う設定値変更手段と、給湯装置の運転のＯＮ／ＯＦＦを行う運転切替え手段を有していた（例えば、特許文献１参照）。
【特許文献１】特開２００５−１２１３１４号公報
【発明の開示】
【発明が解決しようとする課題】
【０００３】
ところで、給湯装置の設置時には給湯装置が運転を行うために必要不可欠な各種設定を記憶させておく必要がある。また、設置後すぐに給湯装置の運転を行うと配管内に溜まっている空気層のために、運転時間が長引き、加熱効率が著しく悪化するなどの弊害が生じていた。そのため、運転前には必ず配管内の空気抜きを行い、その上で沸き上げ試運転を行うことにより、給湯装置の運転性能を確認しなければならない。
【０００４】
通常、給湯装置の設置は電気工事業者や施工業者等の作業者が行っているが、中には複数の作業者が入れ替わり設置を担当する場合もあり、上記給湯装置の運転前に必要不可欠な各種設定や空気抜き、試運転の実施を忘れがちとなる。
【０００５】
その結果、使用者は使用後しばらくして給湯装置の運転時間の遅さや加熱効率の悪さ、貯湯タンク内の湯切れといった被害を蒙ることとなる。
【課題を解決するための手段】
【０００６】
前記従来の課題を解決するために、本発明の給湯装置用リモコンは、給湯装置の給湯運転が正常であることを判定されれば、記憶部に記憶されている運転設定項目の入力状況を変更するようにしたものであり、配管内の空気抜き作業や沸き上げ試運転といった長時間を要する確認作業については、たとえ電源初入時に実行されず記憶部が未入力状態となっていたとしても、次回電源起動時に再度入力を行う必要がなく、余計な入力を行う必要がなくなる。また、給湯装置用リモコンについてほとんど知識を有さない使用者にとって、本来設置の段階で設置作業者に対して表示されるべきメッセージが使用時に表示されることは、かえって不安感を煽ることとなる。
【発明の効果】
【０００７】
本発明の給湯装置用リモコンは、電源初入時に未入力であった運転設定項目であっても、次回電源起動時に再度入力を行う必要がなく、余計な入力を行う手間を省くことができる。
【発明を実施するための最良の形態】
【０００８】
第１の発明は、給湯装置の運転設定項目を電源起動時に表示するパネル部と、パネル部に表示される運転設定項目を入力する操作部と、運転設定項目の入力状況を記憶する記憶部と、給湯装置の給湯運転が正常であるかを判定する運転状態判定手段と、運転状態判定手段による判定結果に応じて記憶部に記憶されている運転設定項目の入力状況を変更する制御手段とを備える給湯装置用リモコンである。
【０００９】
これによって、電源初入時に未入力であった運転設定項目であっても、次回電源起動時に再度入力を行う必要がなく、余計な入力を行う手間を省くことができる。
【００１０】
第２の発明は、特に、第１の発明において、運転状態判定手段は、所定時間内に沸き上げられる湯量により給湯運転の正常を判定するものであり、数分あるいは数十分という短時間でもって給湯装置の沸き上げ運転が正常に作動できることを確認できる。
【００１１】
第３の発明は、特に、第１の発明において、運転状態判定手段は、沸き上げ循環ポンプの動作を検出し、かつ沸き上げ管温度センサによる検出温度が一定期間において所定温度以上であれば、給湯運転の正常を判定するものであり、数分あるいは数十分という短時間でもって給湯装置の沸き上げ運転が正常に作動できることを確認できる。
【００１２】
第４の発明は、特に、第１から第３のいずれか１つの発明において、操作部による入力中、給湯装置の沸き上げ運転を行えないようにするものであり、沸き上げ試運転を行う前に沸き上げ運転が行われることに起因して起こる給湯装置の故障を事前に防ぐことができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における給湯装置用リモコンの外観図を示すものであり、図２は給湯装置用リモコンの構成図を示すものである。
【００１５】
図１に示すように、給湯装置用リモコン１０１は、沸き上げ温度設定値や時刻、浴槽の湯量などを表示するパネル部１０２と、時刻設定やリモコン自体の設定を行う時に設定画面を呼び出すメニュースイッチ１０３と、パネル部１０２に表示される選択肢の中から特定の設定確認項目を選択する選択スイッチ１０４と、選択スイッチ１０４により選択された設定確認項目を確定する確定スイッチ１０５とから構成されている。
【００１６】
また、図２に示すように、給湯装置用リモコン１０１は、パネル部１０２の表示内容を制御する制御部２０１と、パネル部１０２に表示を行うための情報や給湯装置の設定値や時刻等を記憶する記憶部２０２と、給湯装置の設定値を入力する入力部２０３を備えている。なお、入力部２０３は選択スイッチ１０４と確定スイッチ１０５とを含むものとする。
【００１７】
記憶部２０２に記憶されている給湯装置の設定値は、例えば図３のように図示できる。図３によれば、設定確認項目３０１は「設置時において貯湯タンクは満水かどうか」の確認事項であり、その設定確認項目は入力済みであることが示されている。また、設定確認項目３０２は「空気抜きを実行するかどうか」の確認事項であり、その設定確認項目は未入力であることが示されている。また、設定確認項目３０３は、「電力料金体系の設定」の設定項目であり、その設定確認項目は入力済みであることが示されている。また、設定確認事項３０４は、「沸き上げ試運転を実行するかどうか」の確認事項であり、その設定確認項目は入力済みであることが示されている。
【００１８】
以上のように構成された給湯装置用リモコン１０１について、以下その動作、作用を説明する。
【００１９】
まず、作業者が給湯装置を設置して初めて電源を入れた状態である電源初入時において、給湯装置用リモコン１０１にも電源が供給される。このとき、制御部２０１はまず記憶部２０２の内容を確認する。電源初入時であれば、記憶部２０２に記憶されている給湯装置の設定確認の値はすべて未入力となっている。そこで、電源初入時において、制御部２０１は例えば図４に示すように、未入力である設定確認項目を設定選択画面５０１中に含むようにしてパネル部１０２に表示していく。
【００２０】
図４には、設定選択画面５０１中に設定確認項目３０２の「空気抜きを実行するかどうか」や設定確認項目３０３の「電力料金体系の設定」、設定確認項目３０４の「沸き上げ試運転を実行するかどうか」というメッセージを表示して作業者は各メッセージに対して確認、入力を行う。具体的に入力の流れを説明すると、例えば、作業者は設定確認項目３０２の「空気抜きを実行するかどうか」のメッセージに対して空気抜きを実行することを希望する場合は、確定スイッチ１０５を押す。すると、給湯装置のポンプが作動して、管内の空気が抜かれる。空気抜き作業が完了すると、記憶部２０２に記憶されている他の設定確認項目を表示していく。その後、設定確認項目３０４の「沸き上げ試運転を実行するかどうか」のメッセージが表示される。なお、この設定確認項目は、必ず「空気抜きを実行するかどうか」の設定確認項目よりも後に表示されるようにしなければ、空気抜きを行う前に沸き上げ運転が行われてしまう。そして、すべての設定確認項目に対して表示され、入力が終了するまで続けられる。
【００２１】
入力が終了してパネル部１０２から設定選択画面５０１が表示されなくなると、その時点から作業者（あるいは使用者）は沸き上げ運転を行うことができる。つまり、設定選択画面５０１が表示されて作業者が設定確認項目を確認、入力している間は、沸き上げ運転の要求を受け付けないようにしている。従って、作業者（あるいは使用者）が空気抜きを行う前に沸き上げ運転を行うことがなく、給湯装置の故障や誤作動を抑制できる。
【００２２】
このように設置時に作業者に対して設定確認項目の設定内容をパネル部１０２に表示することにより注意喚起を促し、忘れることなく設定、必要作業を行うことができるので、給湯装置の故障を事前に抑制できる。
【００２３】
しかし、設定中に停電等が起こり電源に供給されない状態を想定すると、常にすべての設定確認項目が入力されるとは限らない。また、空気抜き作業は実施時間に１０〜３０分の時間を要し、やむを得ず作業時間が十分確保できない場合は未入力として設定をスキップし、他の設定確認項目を先に入力して入力作業を終了することができる。
【００２４】
そこで、作業者が未入力事項について入力することを忘れる可能性を防ぐために、給湯装置用リモコン１０１の次回通電起動時に、制御部２０１は未入力である設定確認項目のみを設定選択画面５０１中に含むようにしてパネル部１０２に表示する。
【００２５】
このように、未入力事項については電源起動時に再び表示することにより、作業者は忘れることなく入力を確実に行うことができるようになる。また、特に重要な作業である空気抜き作業や沸き上げ試運転が未実施の場合に、再度実施の催促を行い、給湯装置の故障を事前に抑制できる。
【００２６】
なお、作業者が任意で設定確認項目を未入力とするために、入力飛ばしスイッチを給湯装置用リモコン１０１に設ける等を設計すればよい。また、スイッチを設けることなく、確定スイッチ１０５を数秒間連続して押し続ける等の特殊操作により実施可能としてもよい。
【００２７】
（実施の形態２）
第１の実施の形態では、電源初入時に未入力の設定確認項目については次回電源起動時に再び表示することにより、作業者は忘れることなく入力を確実に行うことができるようにした。しかし、何らかの事情で電源初入時に空気抜き作業や沸き上げ試運転を行わず、各設定確認項目を未入力の状態となっていても、その後使用者が沸き上げ運転を行うことができれば、その後空気抜き作業や沸き上げ試運転を行う必要はない。
【００２８】
そこで、図５に示すように給湯装置用リモコン１０１を構成する。運転状態判定手段５０２は、給湯装置の給湯運転が正常に作動しているかを検知するものである。具体的に運転状態判定手段５０２は給湯装置の循環ポンプとわき上げ温度とに基づいて判断する。
【００２９】
ここで、運転状態判定手段５０２について説明するために、図６を用いて給湯装置の構成を詳らかにする。図６に示す給湯装置は、ヒートポンプユニット６０２と貯湯ユニット６０３と暖房ユニット６０４から構成されている。
【００３０】
ヒートポンプユニット６０２は、圧縮機６０５と水冷媒熱交換器６０６と膨張弁６０７と蒸発器６０８から構成されており、ヒートポンプユニット６０２内には冷媒が循環している。冷媒は二酸化炭素冷媒を用いる。
【００３１】
貯湯ユニット６０３内には貯湯タンク６０９と水熱交換器６１０とが内臓されている。また、暖房ユニット６０４には放熱手段６１１が備え付けられ、放熱手段６１１から放熱された熱によって床を暖める。なお、上記のように床暖房以外であっても、例えば浴室乾燥や風呂追炊き等に利用できるような形態であってもよい。
【００３２】
貯湯タンク６０９内の湯水を加熱する場合には、貯湯タンク６０９の下部に設置された沸き上げ往き管から沸き上げ循環ポンプ６１２を起動させながら水冷媒熱交換器６０６へ供給され、水冷媒熱交換器６０６を介して加熱された湯水は沸き上げ戻り管６１１を通じて貯湯タンク６０９の上部へ戻される。この沸き上げ運転は温度センサ６１４（６１４ａ、６１４ｂ、６１４ｃ）により貯湯タンク６０９内に高温の湯水で満たされるまで行われる。また、沸き上げられた湯温は沸き上げ管温度センサ６１３により検知され、その値を一定に保つように沸き上げ循環ポンプ６１２の回転数を制御している。
【００３３】
また、床暖房運転を起動させたときは、貯湯タンク６０９の上部に備えられた１次往き管６１２から水熱交換器６１０へ供給されて、水熱交換器６１０を介して暖房ユニット６０４内を循環する湯水に熱を伝える。水熱交換器６１０で加熱された暖房ユニット６０４内の湯水は、２次戻り管６１３を介して放熱手段６１１へ流れ、放熱手段６１１を放熱される。放熱した湯水は、２次往き管６１４により再び水熱交換器６１０で加熱される。
【００３４】
また、水熱交換器６１０で放熱した貯湯ユニット６０３側の湯水は１次戻り管６１５を通じて貯湯タンク６０９の下部に戻される。
【００３５】
このような給湯装置において、運転状態判定手段５０２は沸き上げ循環ポンプ６１２が動作しており、かつ沸き上げ管温度センサ６１３の検知温度が所定時間のあいだ高温（例えば８０度以上）を保ち続けていれば、給湯装置の給湯運転が正常に作動していると判断する。
【００３６】
なお、運転状態判定手段５０２は上記方法以外に、温度センサ６１４（６１４ａ、６１４ｂ、６１４ｃ）を用いて判断してもよい。例えば、温度センサ６１４ａが高温（例えば８０度以上）を検知しており、他の温度センサ６１４ｂ、６１４ｃは低音（例えば２０度）を検知している場合、沸き上げ運転を開始してから所定時間以内に温度センサ６１４ｂが高温（例えば８０度以上）を検知したときに、給湯装置の給湯運転が正常に作動していると判断する。
【００３７】
このように、電源初入時に未入力の設定確認項目について、運転状態判定手段５０２が給湯運転の正常さを判断したときには、制御部２０１が記憶部に記憶されている設定確認項目３０２の「空気抜きを実行するかどうか」、及び設定確認項目３０４の「沸き上げ試運転を実行するかどうか」の未入力状態を入力済として記憶内容を変更するように制御する。
【００３８】
したがって、電源初入時に未入力の設定確認項目について次回電源起動時に再び表示されることなく、余計な入力を行う必要がなくなる。また、給湯装置用リモコンについてほとんど知識を有さない使用者にとって、本来設置の段階で設置作業者に対して表示されるべきメッセージが使用時に表示されることは、かえって不安感を煽ることとなるが、そのような不安感を与えることがない。
【００３９】
なお、本実施の形態では空気抜き作業、沸き上げ試運転の未入力状態を想定して説明を行ったが、空気抜き作業、沸き上げ試運転以外の設定確認項目についても、運転状態判定手段５０２が給湯運転の正常さを判断したときに、制御部２０１が記憶部の入力状況を変更してもよい。
【産業上の利用可能性】
【００４０】
以上のように、本発明にかかる給湯装置用リモコンは、ヒートポンプ給湯装置以外にも電気給湯装置、ガス給湯装置のリモコンとして適用可能である。
【図面の簡単な説明】
【００４１】
【図１】本発明の実施の形態１の給湯装置用リモコンの概観図
【図２】同実施の形態の給湯装置用リモコンの構成図
【図３】同実施の形態の記憶部の記憶内容一覧図
【図４】同実施の形態のパネル部表示画面を示す図
【図５】本発明の実施の形態２の給湯装置用リモコンの構成図
【図６】同実施の形態の給湯装置の構成図
【符号の説明】
【００４２】
１０１  給湯装置用リモコン
１０２  パネル部
２０１  制御部
２０２  記憶部
２０３  入力部
５０１  設定選択画面
５０２  運転状態判定手段
【図２】
2006336922.tif 000003
【図３】
2006336922.tif 000004
【図６】
2006336922.tif 000005
【図１】
2006336922.tif 000006
【図４】
2006336922.tif 000007
【図５】
2006336922.tif 000008